(57)【特許請求の範囲】
【請求項１】
物体側から像側へ順に、合焦用レンズ群を含む正の屈折力の第１群、ズーミングに際して移動する負の屈折力の第２群、ズーミングに際して移動する第３群、正の屈折力の第４群より構成されるズームレンズにおいて、前記第２群は、物体側から像側へ順に、負の屈折力の第２１レンズと負の屈折力の第２２レンズを連続して含む、全体として４つのレンズより構成され、前記第１群の焦点距離をｆ１、前記第２群の焦点距離をｆ２、前記第２１レンズの焦点距離をｆ２１、前記第２１レンズの物体側のレンズ面頂点から前記第２群の物体側主点位置までの距離をＯ１２、前記第２群の光軸上の厚さをＤ２とするとき、
７．８＜ｆ１／｜ｆ２｜＜１２．０
１．２０＜ｆ２１／ｆ２＜１．６３
０．０４＜Ｏ１２／Ｄ２＜０．１５
なる条件式を満たすことを特徴とするズームレンズ。
【請求項２】
前記第２群の光軸上の厚さをＤ２、前記第２１レンズの焦点距離ｆ２１は、
０．５５＜Ｄ２／｜ｆ２１｜＜０．９８
なる条件式を満たすことを特徴とする請求項１に記載のズームレンズ。
【請求項３】
前記第２群の最も像側のレンズは、負の屈折力の第２ｋレンズであり、第２ｋレンズの焦点距離をｆ２ｋとするとき、
０．９５＜ｆ２ｋ／ｆ２１＜３．９２
なる条件式を満たすことを特徴とする請求項１又は２に記載のズームレンズ。
【請求項４】
物体側から像側へ順に、合焦用レンズ群を含む正の屈折力の第１群、ズーミングに際して移動する負の屈折力の第２群、ズーミングに際して移動する第３群、正の屈折力の第４群より構成されるズームレンズにおいて、前記第２群は、物体側から像側へ順に、負の屈折力の第２１レンズと負の屈折力の第２２レンズを連続して含む、全体として５つのレンズより構成され、前記第１群の焦点距離をｆ１、前記第２群の焦点距離をｆ２、前記第２１レンズと第２２レンズの合成焦点距離をｆ２ｎ、前記第２１レンズの物体側のレンズ面頂点から第２群の物体側主点位置までの距離をＯ１２、第２群の光軸上の厚さをＤ２とするとき、
８．０＜ｆ１／｜ｆ２｜＜１３．５
０．６５＜ｆ２ｎ／ｆ２＜１．８５
０．０３＜Ｏ１２／Ｄ２＜０．１８
なる条件式を満たすことを特徴とするズームレンズ。
【請求項５】
前記第２群の光軸上の厚さＤ２、前記第２１レンズと第２２レンズの合成焦点距離ｆ２ｎは、
０．８０＜Ｄ２／｜ｆ２ｎ｜＜１．６０
なる条件式を満たすことを特徴とする請求項４に記載のズームレンズ。
【請求項６】
前記第２群の最も像側のレンズは負の屈折力の第２ｋレンズであり、前記第２ｋレンズの焦点距離をｆ２ｋとするとき、
２．０＜ｆ２ｋ／ｆ２ｎ＜１０．０
なる条件式を満たすことを特徴とする請求項４又は５に記載のズームレンズ。
【請求項７】
前記第２１レンズの物体側のレンズ面の曲率半径をＲ１、像側のレンズ面の曲率半径をＲ２、該第２１レンズを構成する材料の屈折率をＮ２１、アッベ数をν２１とするとき、
０．８＜（Ｒ１＋Ｒ２）／（Ｒ１−Ｒ２）＜１．２
１．７５＜Ｎ２１＜２．３０
１８＜ν２１＜５０
なる条件式を満たすことを特徴とする請求項１乃至６のいずれか１項に記載のズームレンズ。
【請求項８】
前記第２群に含まれる正の屈折力の第２ｐレンズを形成する材料の屈折力をＮ２ｐ、アッベ数をν２ｐとするとき、
１．７＜Ｎ２ｐ＜２．１
１６＜ν２ｐ＜３０
なる条件式を満たすことを特徴とする請求項１乃至７のいずれか１項に記載のズームレンズ。
【請求項９】
前記ズームレンズは、前記第４群の一部の光学部材の光路中からの退避に伴ってズームレンズの全系の焦点距離範囲を変位させる、光路中より挿抜可能なレンズユニットを有することを特徴とする請求項１乃至８のいずれか１項に記載のズームレンズ。
【請求項１０】
請求項１乃至９のいずれか１項のズームレンズと前記ズームレンズによって形成された像を受光する固体撮像素子を有することを特徴とする撮像装置。
【請求項１１】
前記ズームレンズの広角端の撮影画角をωｗ、広角端における全系の焦点距離をｆｗ、望遠端における全系の焦点距離をｆｔとするとき、
６０＜ｆｔ／ｆｗ＜１１５
６２．９＜ωｗ＜７０．０
なる条件式を満たすことを特徴とする請求項１０の撮像装置。
【発明の詳細な説明】
【技術分野】
【０００１】
本発明はズームレンズ及びそれを有する撮像装置に関し、放送用テレビカメラ、ビデオカメラ、デジタルスチルカメラ、銀塩写真用カメラ等に好適なものである。
【背景技術】
【０００２】
近年テレビカメラ、銀塩フィルム用カメラ、デジタルカメラ、ビデオカメラ等の撮像装置には、高ズーム比、広画角でしかも高い光学性能を有したズームレンズが要望されている。高ズーム比で広画角のズームレンズとして、最も物体側に正の屈折力のレンズ群を配置し、全体として４つのレンズ群より成るポジティブリード型の４群ズームレンズが知られている。例えば、正の屈折力の第１群、変倍用の負の屈折力の第２群、像面変動補正用の第３群、正の屈折力の第４群より成る４群ズームレンズが知られている（特許文献１〜３）。
【０００３】
特許文献１では、広角端の撮影画角が６０．９３°でズーム倍率が９６倍程度のズームレンズが開示されている。特許文献２では、広角端の撮影画角が６９．０２°でズーム倍率が１０６倍程度のズームレンズが開示されている。特許文献３では、広角端の撮影画角が６２．８６°でズーム倍率が１２０倍程度のズームレンズが開示されている。
【先行技術文献】
【特許文献】
【０００４】
【特許文献１】特開２００４−２６４４５７号公報
【特許文献２】特開２００８−１９７５３３号公報
【特許文献２】特開２０１０−０９１７８８号公報
【発明の概要】
【発明が解決しようとする課題】
【０００５】
前述の４群ズームレンズにおいて高ズーム比化（高倍率化）を達成しようとすると、変倍用の第２群の可動領域を長く確保する必要があり、最も物体側に配置される第１群のレンズ径が大きくなる傾向がある。また、広画角化を達成しようとすると、第１群に取り込む光線入射角を広く確保する必要があり、やはり第１群のレンズ径が大きくなる傾向がある。広画角化と高倍率化を両立しながら第１群のレンズ径の増大を抑制するためには、変倍用の第２群を小型化することや、光線の入射基準となる第２群の主点位置を物体側へ押し出すことが重要になってくる。
【０００６】
前述した構成の４群ズームレンズにおいて、レンズ系全体の小型化を図りつつ高ズーム比、広画角でしかも全ズーム範囲にわたり高い光学性能を得るには、第１群の屈折力や変倍用の第２群のレンズ構成等を適切に設定することが重要になってくる。これらの設定が不適切であると、高ズーム比、広画角で小型のズームレンズを得ることが困難となる。
【０００７】
本発明は広画角化と高ズーム比化を両立しながらレンズ系全体の小型軽量化が容易なズームレンズ及びそれを有する撮像装置の提供を目的とする。
【課題を解決するための手段】
【０００８】
本発明のズームレンズは、物体側から像側へ順に、合焦用レンズ群を含む正の屈折力の第１群、ズーミングに際して移動する負の屈折力の第２群、ズーミングに際して移動する第３群、正の屈折力の第４群より構成されるズームレンズにおいて、前記第２群は、物体側から像側へ順に、負の屈折力の第２１レンズと負の屈折力の第２２レンズを連続して含む、全体として４つのレンズより構成され、前記第１群の焦点距離をｆ１、前記第２群の焦点距離をｆ２、前記第２１レンズの焦点距離をｆ２１、前記第２１レンズの物体側のレンズ面頂点から前記第２群の物体側主点位置までの距離をＯ１２、前記第２群の光軸上の厚さをＤ２とするとき、
７．８＜ｆ１／｜ｆ２｜＜１２．０
１．２０＜ｆ２１／ｆ２＜１．６３
０．０４＜Ｏ１２／Ｄ２＜０．１５
なる条件式を満たすことを特徴としている。
この他本発明のズームレンズは、物体側から像側へ順に、合焦用レンズ群を含む正の屈折力の第１群、ズーミングに際して移動する負の屈折力の第２群、ズーミングに際して移動する第３群、正の屈折力の第４群より構成されるズームレンズにおいて、前記第２群は、物体側から像側へ順に、負の屈折力の第２１レンズと負の屈折力の第２２レンズを連続して含む、全体として５つのレンズより構成され、前記第１群の焦点距離をｆ１、前記第２群の焦点距離をｆ２、前記第２１レンズと第２２レンズの合成焦点距離をｆ２ｎ、前記第２１レンズの物体側のレンズ面頂点から第２群の物体側主点位置までの距離をＯ１２、第２群の光軸上の厚さをＤ２とするとき、
８．０＜ｆ１／｜ｆ２｜＜１３．５
０．６５＜ｆ２ｎ／ｆ２＜１．８５
０．０３＜Ｏ１２／Ｄ２＜０．１８
なる条件式を満たすことを特徴としている。
【発明の効果】
【０００９】
本発明によれば、広画角化と高ズーム比化を両立しながらレンズ系全体の小型軽量化が容易なズームレンズが得られる。
【図面の簡単な説明】
【００１０】
【図１】数値実施例１の広角端、無限遠合焦時のレンズ断面図
【図２】（Ａ）（Ｂ）（Ｃ）  数値実施例１の広角端、中間のズーム位置、望遠端で無限遠合焦時の収差図
【図３】数値実施例２の広角端、無限遠合焦時のレンズ断面図
【図４】（Ａ）（Ｂ）（Ｃ）  数値実施例２の広角端、中間のズーム位置、望遠端で無限遠合焦時の収差図
【図５】数値実施例３の広角端、無限遠合焦時のレンズ断面図
【図６】（Ａ）（Ｂ）（Ｃ）  数値実施例３の広角端、中間のズーム位置、望遠端で無限遠合焦時の収差図
【図７】数値実施例４の広角端、無限遠合焦時のレンズ断面図
【図８】（Ａ）（Ｂ）（Ｃ）  数値実施例４の広角端、中間のズーム位置、望遠端で無限遠合焦時の収差図
【図９】数値実施例５の広角端、無限遠合焦時のレンズ断面図
【図１０】（Ａ）（Ｂ）（Ｃ）  数値実施例５の広角端、中間のズーム位置、望遠端で無限遠合焦時の収差図
【図１１】数値実施例６の広角端、無限遠合焦時のレンズ断面図
【図１２】（Ａ）（Ｂ）（Ｃ）  数値実施例６の広角端、中間のズーム位置、望遠端で無限遠合焦時の収差図
【図１３】本発明の撮像装置の要部概略図
【図１４】本発明のズームレンズの第２群の主点位置を示す説明図
【発明を実施するための形態】
【００１１】
以下に、本発明の好ましい実施の形態を、添付の図面に基づいて詳細に説明する。本発明のズームレンズは、物体側から像側へ順に、合焦用レンズ群を含む正の屈折力の第１群、変倍用レンズ群を含む負の屈折力の第２群、変倍に伴う像面変動を補正する正の屈折力の第３群、結像用の正の屈折力の第４群を有する。第２群は、物体側から像側へ順に、負の屈折力の第２１レンズと負の屈折力の第２２レンズを連続して含む、全体として４つのレンズより構成されている。
【００１２】
本発明のズームレンズは、変倍中固定で正の屈折力の第４群中に、ズームレンズ全系の焦点距離を変位させる、光路中より挿抜可能なレンズユニットを有する場合がある。図１は本発明の実施例１（数値実施例１）のズームレンズの広角端（焦点距離、ｆ＝８．３ｍｍ）（短焦点距離端）で無限遠物体の合焦状態におけるレンズ断面図である。図２（Ａ）、（Ｂ）、（Ｃ）は数値実施例１の広角端、中間のズーム位置（焦点距離）ｆ＝７６．５２ｍｍ、望遠端（長焦点距離端）ｆ＝７０５．５０ｍｍにおける無限遠の物体に合焦時の収差図である。但し、焦点距離、物体距離は数値実施例の値をｍｍ単位で表したときの値である。これは以下の各実施例において全て同じである。
【００１３】
図３は本発明の実施例２（数値実施例２）のズームレンズの広角端（ｆ＝８．５０ｍｍ）、無限遠物体の合焦状態におけるレンズ断面図である。図４（Ａ）、（Ｂ）、（Ｃ）は数値実施例２の広角端、中間のズーム位置（焦点距離）ｆ＝８１．５３ｍｍ、望遠端ｆ＝７８２．００ｍｍにおける無限遠の物体に合焦時の収差図である。図５は本発明の実施例３（数値実施例３）のズームレンズの広角端（ｆ＝８．０ｍｍ）、無限遠物体の合焦状態におけるレンズ断面図である。図６（Ａ）、（Ｂ）、（Ｃ）は数値実施例３の広角端、中間のズーム位置（焦点距離）ｆ＝８０．００ｍｍ、望遠端ｆ＝８００．００ｍｍにおける無限遠の物体に合焦時の収差図である。
【００１４】
図７は本発明の実施例４（数値実施例４）のズームレンズの広角端（ｆ＝８．００ｍｍ）、無限遠物体の合焦状態におけるレンズ断面図である。図８（Ａ）、（Ｂ）、（Ｃ）は数値実施例４の広角端、中間のズーム位置（焦点距離）ｆ＝８３．１４ｍｍ、望遠端ｆ＝８６４．００ｍｍにおける無限遠の物体に合焦時の収差図である。図９は本発明の実施例５（数値実施例５）のズームレンズの広角端（ｆ＝８．８０ｍｍ）、無限遠物体の合焦状態におけるレンズ断面図である。図１０（Ａ）、（Ｂ）、（Ｃ）は数値実施例５の広角端、中間のズーム位置（焦点距離）ｆ＝７０．９５ｍｍ、望遠端ｆ＝５７２．００ｍｍにおける無限遠の物体に合焦時の収差図である。
【００１５】
図１１は本発明の実施例６（数値実施例６）のズームレンズの広角端（ｆ＝８．７０ｍｍ）、無限遠物体の合焦状態におけるレンズ断面図である。図１２（Ａ）、（Ｂ）、（Ｃ）は数値実施例６の広角端、中間のズーム位置（焦点距離）ｆ＝７５．８４ｍｍ、望遠端ｆ＝６６１．２０ｍｍにおける無限遠の物体に合焦時の収差図である。
【００１６】
各レンズ断面図において、左方が被写体（物体）側（前方）で、右方が像側（後方）で
ある。レンズ断面図において、Ｕ１は合焦用レンズ群を含む性の屈折力の第１群である。Ｕ２は変倍用レンズ群を含む負の屈折力の第２群であり、光軸上を像面側へ単調に移動させることにより、広角端から望遠端への変倍を行っている。Ｕ３は変倍に伴う像面変動を補正する正の屈折力の第３群であり、広角端から望遠端への変倍に際して変倍に伴う像面変動を補正するために光軸上を物体側へ非直線的に移動している。
【００１７】
第２群Ｕ２と第３群Ｕ３で変倍系を構成している。ＳＰは絞り（開口絞り）である。Ｕ４は結像用の正の屈折力の第４群であり、ズーミングに際して不動である。Ｐは色分解プリズムや光学フィルタ−等であり、同図ではガラスブロックとして示している。Ｉは撮像面であり、ズームレンズで形成された像を受光し、光電変換する固体撮像素子（光電変換素子）の撮像面に相当している。
【００１８】
各実施例のズームレンズは、第４群の一部の光学部材の光路中からの退避に伴ってズームレンズの全系の焦点距離範囲を変位させる、光路中より挿抜可能なレンズユニット（エクステンダー）を有している。前述した各実施例のズームレンズではズームレンズの高倍率化を良好な光学性能のもとに達成するのに適したズームタイプをとっている。各実施例のズームレンズは、変倍用の負の屈折力の第２群Ｕ２と変倍に伴う像面の変動を補正するために正の屈折力の第３群Ｕ３を有し、所謂乗り移り方式と呼ばれるズームタイプを用いて高倍率化を容易に達成している。
【００１９】
縦収差図において、球面収差はｅ線（実線）、ｇ線（２点鎖線）を示している。非点収差はｅ線のメリディオナル像面（ｍｅｒｉ）（点線）とサジタル像面（Ｓａｇｉ）（実線）を示している。倍率色収差はｇ線（２点鎖線）によって表している。ＦｎｏはＦナンバー、ωは撮影半画角を表す。縦収差図では、球面収差は０．４ｍｍ、非点収差は０．４ｍｍ、歪曲は１０％、倍率色収差は０．０５ｍｍのスケールで描かれている。なお、以下の各実施例において広角端と望遠端は、変倍用の第２群Ｕ２が機構に対して光軸上を移動可能な範囲の両端に位置したときのズーム位置を指す。
【００２０】
本発明のズームレンズでは、第２群Ｕ２が物体側から像側へ順に、負の屈折力の第２１レンズと負の屈折力の第２２レンズを連続して含む全体として４つのレンズより構成されるのを第１態様としている。
【００２１】
第１態様においては、第１群Ｕ１の焦点距離をｆ１、第２群Ｕ２の焦点距離をｆ２とする。第２１レンズの焦点距離をｆ２１、第２１レンズの物体側のレンズ面頂点から第２群Ｕ２の物体側主点位置までの距離をＯ１２、第２群Ｕ２の光軸上の厚さをＤ２とする。このとき、
７．８＜ｆ１／｜ｆ２｜＜１２．０    ・・・（１ａ）
１．２０＜ｆ２１／ｆ２＜１．６３    ・・・（２ａ）
０．０４＜Ｏ１２／Ｄ２＜０．１５    ・・・（３ａ）
なる条件式を満たすことを特徴としている。
【００２２】
また第１態様においては、次の条件式のうち１以上を満足するのが良い。第２群Ｕ２の光軸上の厚さをＤ２、第２１レンズの焦点距離ｆ２１は、
０．５５＜Ｄ２／｜ｆ２１｜＜０．９８    ・・・（４ａ）
なる条件式を満たすことである。また、第２群Ｕ２の最も像側のレンズは、負の屈折力の第２ｋレンズであり、第２ｋレンズの焦点距離をｆ２ｋとする。このとき、
０．９５＜ｆ２ｋ／ｆ２１＜３．９２    ・・・（５ａ）
なる条件式を満たすことである。
【００２３】
次に前述した各条件式の技術的意味について説明する。条件式（１ａ）〜（３ａ）は、ズームレンズの広角化と高倍率化の両立に加えて、レンズ系全体の小型軽量化を図るためのものである。第１群Ｕ１と第２群Ｕ２のパワー比（第１群の焦点距離と第２群の焦点距離の比）及び第２群Ｕ２の適切なレンズ構成を規定している。
【００２４】
条件式（１ａ）は、本発明のズームレンズの第１態様を構成する第１群Ｕ１と第２群Ｕ２の焦点距離の比を規定している。ここで｜ｆ２｜は焦点距離ｆ２の絶対値である。条件式（１ａ）を満たすことで、第２群Ｕ２に対する適切な第１群Ｕ１の焦点距離を設定できるため、広角化と高倍率化（高ズーム比化）の両立に加え、全系の小型軽量化を効率的に実現することができる。条件式（１ａ）の上限を超えると、第１群Ｕ１の焦点距離が長くなるため、ズームレンズの小型軽量化が困難となる。
【００２５】
逆に、条件式（１ａ）の下限を超えると、第１群Ｕ１の望遠側における収差補正が困難となる、または、第２群Ｕ２の変倍に必要なパワーが不足するため、ズームレンズの高倍率化が困難となる。更に好ましくは、条件式（１ａ）は次の如く設定するのが良い。
【００２６】
８．０＜ｆ１／｜ｆ２｜＜１１．０  ・・・（１ａａ）
また、条件式（２ａ）は、第２群Ｕ２全体の焦点距離に対する、第２群Ｕ２の最も物体側の負の屈折力の第２１レンズの焦点距離の比を規定している。条件式（２ａ）を満たすことで、第２群Ｕ２の物体側の主点位置を物体側へ効果的に押し出せるため、第１群Ｕ１の小型軽量化が容易になる。条件式（２ａ）の上限を超えると、第２群Ｕ２の主点位置の物体側への押し出しが弱くなるため、ズームレンズの小型軽量化が困難となる。逆に、条件式（２ａ）の下限を超えると、第２１レンズの負の屈折力が極端に強まるため、ズームレンズの小型化及び軽量化や収差補正が困難となる。更に好ましくは、条件式（２ａ）は次の如く設定するのが良い。
【００２７】
１．２２＜ｆ２１／ｆ２＜１．６２  ・・・（２ａａ）
また、条件式（３ａ）は、本発明のズームレンズを構成する第２群Ｕ２の物体側主点位置について、第２群の光軸上の厚みとの関係を規定している。条件式（３ａ）を満たすことで、第２群Ｕ２の物体側主点位置を物体側へ十分に押し出せるため、ズームレンズの広角化と小型軽量化が容易になる。条件式（３ａ）の上限を超えると、第２群Ｕ２の物体側主点位置の物体側への押し出しが不足するため、ズームレンズの広角化と小型軽量化が困難となる。逆に、条件式（３ａ）の下限を超えると、第２１レンズの負の屈折力が過度に強くなる、または、第２群Ｕ２が厚くなるため、ズームレンズの小型軽量化や収差補正が困難となる。更に好ましくは、条件式（３）は次の如く設定するのが良い。
【００２８】
０．０５＜Ｏ１２／Ｄ２＜０．１４  ・・・（３ａａ）
ここで、第２群の物体側主点位置を物体側へ押し出す効果について、図１４を用いて説明する。図１４中のＵ１は第１群Ｕ１、Ｕ２は第２群Ｕ２、Ｏ１２は第２群Ｕ２の物体側主点位置、ωは撮影半画角である。ズームレンズの広角化を図ると、第１群Ｕ１の物体側のレンズ有効径が増大する傾向がある。このとき、第２群Ｕ２Ｕ２の物体側主点位置Ｏ１２が図１４中の実線の位置にあると、第１群Ｕ１Ｕ１のレンズ有効径は実線の大きさが必要となる。
【００２９】
そこで、第２群Ｕ２の物体側主点位置Ｏ１２を図１４中の点線の位置まで押し出すと、同じ半画角ωを確保しても第１群Ｕ１Ｕ１の点線のレンズ有効径で達成することができる。実際はレンズ径の縮小に伴って、レンズ厚も薄くできるため、より一層の小型軽量化の効果を発揮することができる。よって、第２群Ｕ２の物体側主点位置を物体側へ押し出すことで、ズームレンズの広角化と小型軽量化を効果的に達成することができる。
【００３０】
条件式（４ａ）は、よりズームレンズの広角化と小型軽量化を両立するために最適な、第２群Ｕ２の光軸上の厚さを規定している。条件式（４ａ）は、本発明のズームレンズの一態様を構成する第２群Ｕ２において、第２１レンズの焦点距離に対する第２群Ｕ２の光軸上の厚みの比を規定している。ここで、｜ｆ２１｜は焦点距離ｆ２１の絶対値である。条件式（４ａ）を満たすことで、第２１レンズの焦点距離と第２群Ｕ２の厚みの適切なバランスを設定できるため、広角化と小型軽量化を効率的に実現することができる。条件式（４ａ）の上限を超えると、第２群Ｕ２の光軸上の厚さが厚くなり、第１群Ｕ１がより物体側へ配置されることになるため、ズームレンズの小型軽量化が困難となる。
【００３１】
逆に、条件式（４ａ）の下限を超えると、第２１レンズが十分な負の屈折力を持てなくなるため、ズームレンズの広角化が困難となる。更に好ましくは、条件式（４ａ）は次の如く設定するのが良い。
【００３２】
０．５６＜Ｄ２／｜ｆ２１｜＜０．９５  ・・・（４ａａ）
更に好ましくは、条件式（４ａａ）は次の如く設定するのが良い。
【００３３】
０．５７＜Ｄ２／｜ｆ２１｜＜０．９０  ・・・（４ａａａ）
条件式（５ａ）は、よりズームレンズの広角化と小型軽量化を良好な光学性能のもとで達成するために、第２群の最も物体側の負の屈折力の第２１レンズの焦点距離と、最も像側の負の屈折力の第２ｋレンズの焦点距離との比を規定している。
【００３４】
条件式（５ａ）を満たすことで、第２群Ｕ２の負の屈折力のバランスを適切に配置することができるため、第２群Ｕ２の主点の押し出しや、第２群Ｕ２の小型化を実現することが容易となる。条件式（５ａ）式の上限を超えると、第２１レンズの負の屈折力が強まり、レンズ面の曲率がきつくなるため、レンズの小型軽量化が困難となる。逆に、条件式（５ａ）の下限を超えると、第２ｋレンズの負の屈折力が強まるため、第２群Ｕ２の主点の物体側への押し出しや、レンズの小型軽量化が困難となる。更に好ましくは、条件式（５ａ）は次の如く設定するのが良い。
【００３５】
１．００＜ｆ２ｋ／ｆ２１＜３．６８  ・・・（５ａａ）
本発明のズームレンズでは第２群Ｕ２が物体側から像側へ順に負の屈折力の第２１レンズと負の屈折力の第２２レンズを連続して含む全体として５つのレンズより構成されるのを第２態様としている。
【００３６】
第２態様においては、第１群Ｕ１の焦点距離をｆ１、第２群Ｕ２の焦点距離をｆ２とする。第２１レンズと第２２レンズの合成焦点距離をｆ２ｎとする。第２１レンズの物体側のレンズ面頂点から第２群Ｕ２の物体側主点位置までの距離をＯ１２、第２群Ｕ２の光軸上の厚さをＤ２とする。このとき、
８．０＜ｆ１／｜ｆ２｜＜１３．５    ・・・（１ｂ）
０．６５＜ｆ２ｎ／ｆ２＜１．８５    ・・・（２ｂ）
０．０３＜Ｏ１２／Ｄ２＜０．１８    ・・・（３ｂ）
なる条件式を満たすことを特徴としている。また第２態様においては、次の条件式のうち１以上を満足するのが良い。第２群Ｕ２の光軸上の厚さＤ２、第２１レンズと第２２レンズの合成焦点距離ｆ２ｎは、
０．８０＜Ｄ２／｜ｆ２ｎ｜＜１．６０    ・・・（４ｂ）
なる条件式を満たすことである。
【００３７】
また第２群Ｕ２の最も像側のレンズは負の屈折力の第２ｋレンズであり、第２ｋレンズの焦点距離をｆ２ｋとする。このとき、
２．０＜ｆ２ｋ／ｆ２ｎ＜１０．０    ・・・（５ｂ）
なる条件式を満たすことである。
【００３８】
次に前述した各条件式の技術的意味について説明する。条件式（１ｂ）〜（３ｂ）は、ズームレンズの広角化と高倍率化の両立に加えて、レンズ系全体の小型軽量化を図るために、第１群Ｕ１と第２群Ｕ２の焦点距離比、及び第２群Ｕ２に含む負レンズの焦点距離を規定している。第２態様では第１態様に比べて、第２群Ｕ２のレンズ構成枚数を増やして、より広角化や高倍率化、小型軽量化を有利とする形態を想定している。ズームレンズの高倍率化と小型軽量化を両立しようとすると、主に変倍を担う第２群Ｕ２の各レンズは比較的強いパワーを持つ傾向にある。
【００３９】
そこで、第２群Ｕ２の構成枚数を増やすことで、各レンズの収差の敏感度を下げ、特に高次収差の低減や製造上の性能の安定化を図っている。特に、第２１レンズに相当する強い負の屈折力を複数のレンズで分担すると、第２群Ｕ２の主点の物体側への押し出しや収差補正において有利な効果が期待できる。
【００４０】
条件式（１ｂ）の技術的内容は条件式（１ａ）と同じである。但し、本実施態様では、第２群Ｕ２のレンズ枚数が増えたことによって第２群Ｕ２の焦点距離を短くするのに有利であるため、上限がより大きな値にシフトしている。更に好ましくは、条件式（１ｂ）は次の如く設定するのが良い。
【００４１】
８．２＜ｆ１／｜ｆ２｜＜１１．５  ・・・（１ｂｂ）
条件式（２ｂ）は、第２群Ｕ２全体の焦点距離に対する、第２群Ｕ２の最も物体側から連続して含む２つの負レンズの合成焦点距離ｆ２ｎの比を規定している。条件式（２ｂ）の技術的内容は条件式（２ａ）と同じである。但し、第２群Ｕ２の構成枚数が増えたことによって、焦点距離ｆ２ｎや焦点距離ｆ２の取り得る値の範囲が広がるため、上下限の幅が広がっている。更に好ましくは、条件式（２ｂ）は次の如く設定するのが良い。
【００４２】
０．７５＜ｆ２ｎ／ｆ２＜１．４０  ・・・（２ｂｂ）
条件式（３ｂ）は、第２群Ｕ２の最も物体側から連続して含む２つの負レンズの合成焦点距離と、最も像側の負の屈折力の第２ｋレンズの焦点距離との比を規定している。条件式（３ｂ）の技術的内容は条件式（３ａ）と同じである。但し、第２群Ｕ２の構成枚数が増えたことによって、距離Ｏ１２や厚みＤ２の取り得る値の範囲が広がるため、上下限の幅が広がっている。更に好ましくは、条件式（３ｂ）は次の如く設定するのが良い。
【００４３】
０．０４＜Ｏ１２／Ｄ２＜０．１７  ・・・（３ｂｂ）
条件式（４ｂ）は、よりズームレンズの広角化と小型軽量化を両立するために、第２群Ｕ２の適切な光軸上の厚さに関する。第２態様では、第２群Ｕ２のレンズ構成枚数を増やして、より広角化や高倍率化、小型軽量化を有利とする形態を想定している。特に、第２１レンズに相当する強い負の屈折力を複数のレンズで分担すると、個々のレンズのレンズ面の曲率が緩くなり、結果としてレンズ厚を抑制できる効果が期待できる。
【００４４】
条件式（４ｂ）は、本発明のズームレンズの第２態様における第２群Ｕ２において、第２群Ｕ２の最も物体側から連続して含む２つの負レンズの合成焦点距離に対する第２群Ｕ２の光軸上の厚みの比を規定している。ここで、｜ｆ２ｎ｜は焦点距離ｆ２ｎの絶対値である。条件式（４ｂ）の技術的内容は条件式（４ａ）と同じである。但し第２群Ｕ２のレンズ構成枚数が増えたことによって、厚みＤ２が増大する、または、焦点距離ｆ２ｎが小さい値をとることが可能となるため、上限がより大きな値にシフトしている。更に好ましくは、条件式（４ｂ）は次の如く設定するのが良い。
【００４５】
０．８５＜Ｄ２／｜ｆ２ｎ｜＜１．４５  ・・・（４ｂｂ）
条件式（５ｂ）は、よりズームレンズの広角化と小型軽量化を良好な光学性能のもとで達成するために第２群Ｕ２の最も物体側から連続する２枚の負の屈折力を有するレンズの合成焦点距離と、最も像側の負の屈折力の第２ｋレンズの焦点距離との比を規定している。第２態様では、第２群Ｕ２のレンズ構成枚数を増やして、より広角化や高倍率化、小型軽量化を有利とする形態を想定している。
【００４６】
条件式（５ｂ）は、本発明のズームレンズの他の実施態様を構成する第２群Ｕ２において、第２群Ｕ２の最も物体側から連続して含む２つの負レンズの合成焦点距離に対する、第２群Ｕ２の最も像側の負の第２ｋレンズの焦点距離の比を規定している。条件式（５ｂ）の技術的内容は条件式（５ａ）と同じである。但し、第２群Ｕ２のレンズ構成枚数が増えたことによって、焦点距離ｆ２ｋと焦点距離ｆ２ｎの取り得る値の範囲が広がるため、上下限の幅が広がっている。更に好ましくは、条件式（５ｂ）は次の如く設定するのが良い。
【００４７】
２．３＜ｆ２ｋ／ｆ２ｎ＜９．５  ・・・（５ｂｂ）
本発明において第１態様と第２態様においては次の諸条件のうち１以上を満足するのが良い。
第２１レンズの物体側のレンズ面の曲率半径をＲ１、像側のレンズ面の曲率半径をＲ２とする。第２１レンズを構成する材料の屈折率をＮ２１、アッベ数をν２１とする。このとき、
０．８＜（Ｒ１＋Ｒ２）／（Ｒ１−Ｒ２）＜１．２    ・・・（６）
１．７５＜Ｎ２１＜２．３０                ・・・（７）
１８＜ν２１＜５０                        ・・・（８）
なる条件式を満たすことである。
【００４８】
この他、第２群Ｕ２に含まれる正の屈折力の第２ｐレンズを形成する材料の屈折力をＮ２ｐ、アッベ数をν２ｐとする。このとき、
１．７＜Ｎ２ｐ＜２．１    ・・・（９）
１６＜ν２ｐ＜３０        ・・・（１０）
なる条件式を満たすことである。
【００４９】
条件式（６）〜（８）は、ズームレンズのより広角化とより高倍率化、小型軽量化を良好な光学性能のもとに達成するために最適な第２１レンズの形状と材料を規定している。
【００５０】
条件式（６）は、本発明のズームレンズを構成する第２群Ｕ２の主点を押し出す上で理想的な第２１レンズの構成を規定している。条件式（６）を満たすことで、第２１レンズに適切な屈折力を与えることが容易となり、ズームレンズの広角化と高倍率化を良好な光学性能のもとで両立させ、更に小型軽量化も効率的に実現することができる。
【００５１】
条件式（６）の上限を超えると、第２１レンズの物体側のレンズ面の曲率半径が正で小さな値をもつようになるため、第２１レンズに適切な屈折力を与えることが困難となり、ズームレンズの広角化と小型軽量化が困難となる。逆に、条件式（６）の下限を超えると、第２１レンズの物体側のレンズ面の曲率半径が負で小さな値をもつようになり、レンズの外径部で第１群Ｕ１との干渉を避けるために必要な空気間隔が増すため、ズームレンズの小型軽量化が困難となる。  更に好ましくは、条件式（６）は次の如く設定するのが良い。
【００５２】
１．００＜（Ｒ１＋Ｒ２）／（Ｒ１−Ｒ２）＜１．１７  ・・・（６ｃ）
条件式（６ｃ）は、第２１レンズが物体側に凸の面を有する条件を規定している。条件式（６ｃ）を満たすことで、第２１レンズを保持する機構が第２１レンズより物体側へ出っ張らず、第１群Ｕ１との干渉を避けるため必要な空気間隔が最小限で済む。このため、レンズの小型軽量化に更に有利である。また、ズームレンズの広角化に伴う樽型歪曲の増大を抑制する上でも効果的である。もし、第２１レンズのレンズ面が非球面形状を有する場合は、条件式（６）や条件式（６ｃ）中のＲ１、Ｒ２の値には、レンズの光軸上の面頂点からレンズ有効径での面の位置を円弧で繋いだ所謂、参照球半径を当てはめても良い。
【００５３】
また、条件式（７）、（８）は、第２１レンズを形成する材料の屈折率とアッベ数を規定している。条件式（７）を満たすことで、第２１レンズに適切な屈折力と形状、色収差の補正能力を持たせることが可能となるため、ズームレンズの広角化と高倍率化、小型軽量化を良好な光学性能のもとで実現できる。条件式（７）の上限を超えると、第２群Ｕ２内の色消しを効果的に成立させる材料が入手困難となるため、ズームレンズを高倍率化したときの色収差補正が困難となる。逆に、条件式（７）の下限を超えると、第２１レンズに適切な屈折力を確保することが困難となり、ズームレンズの広角化と小型軽量化が困難となる。更に好ましくは、条件式（７）は次の如く設定するのが良い。
【００５４】
１．８＜Ｎ２１＜２．２  ・・・（７ｃ）
条件式（８）の上限を超えると、第２１レンズに適切な屈折力を持たせることが困難となり、第２群Ｕ２の主点を物体側へ押し出すことが困難となる。逆に、条件式（８）の下限を超えると、色収差補正のためレンズ面の曲率が強くなり、小型軽量化が困難となる。更に好ましくは、条件式（８）は次の如く設定するのが良い。
【００５５】
２３＜ν２１＜４５  ・・・（８ｃ）
条件式（９）、（１０）は、ズームレンズのより広角化とより高倍率化、小型軽量化を良好な光学性能のもとに達成するために最適な、第２群Ｕ２に含む正の屈折力を有する第２ｐレンズの材料に関する。尚、第２群Ｕ２中に正の屈折力を有するレンズが複数存在する場合は、そのどちらか一方、またはその両方を第２ｐレンズの対象として扱う。
【００５６】
条件式（９）、（１０）は、本発明のズームレンズを構成する第２群Ｕ２において、第２ｐレンズを形成する材料の屈折率とアッベ数を規定している。条件式（９）、（１０）を満たすことで、第２ｐレンズの屈折力と形状、色収差の補正能力が適切に設定できるため、広角化と高倍率化の両立と、小型軽量化を効率的に実現することができる。
【００５７】
条件式（９）の上限を超えると、第２ｐレンズの屈折力が強まり、第２群Ｕ２の負の屈折力を適切に保つために負レンズも屈折力が強まるためレンズ面の曲率がきつくなり、レンズの小型化が困難となる。逆に、条件式（９）の下限を超えると、第２ｐレンズに適切な屈折力を持たせることと、適切な色補正の能力を持たせることの両立が困難となり、レンズの高倍率化や小型軽量化が困難となる。更に好ましくは、条件式（９）は次の如く設定するのが良い。
【００５８】
１．７５＜Ｎ２ｐ＜２．００  ・・・（９ｃ）
条件式（１０）の上限を超えると、第２ｐレンズに十分な色補正の能力を持たせることが困難となり、広角化や小型軽量化が困難となる。逆に、条件式（１０）の下限を超えると、色消しを稼ぐためレンズ面の曲率が強くなり、小型軽量化が困難となる。更に好ましくは、条件式（１０）は次の如く設定するのが良い。
【００５９】
１７＜ν２ｐ＜２７  ・・・（１０ｃ）
本発明の撮像装置では、各実施例のズームレンズとズームレンズによって形成された像を受光する所定の有効撮像範囲を有する固体撮像素子を有している。このとき、ズームレンズの広角端の撮影画角をωｗ、広角端における全系の焦点距離をｆｗ、望遠端における全系の焦点距離をｆｔとするとき、
６０＜ｆｔ／ｆｗ＜１１５    ・・・（１１）
６２．９＜ωｗ＜７０．０    ・・・（１２）
なる条件式を満たすのがよい。
【００６０】
条件式（１１）、（１２）は、本発明によって得られる効果を発揮するのに適したズームレンズの倍率と広角端の撮影画角の範囲を規定している。これらの条件式（１１）、（１２）を外れると高ズーム比化及び広画角化が難しくなる。次に各実施例の具体的なレンズ構成について説明する。
【００６１】
［実施例１］
図１の実施例１のズームレンズにおいて、第２群Ｕ２は数値実施例１において第１１面から第１７面に対応する。第２群Ｕ２はガラス材より成る４つのレンズで構成されている。第２群Ｕ２は、物体側から像側へ順に、物体側の面が凸でメニスカス形状の負レンズＧ２１と、両凹形状の負レンズＧ２２と両凸形状の正レンズＧ２３とを接合した接合レンズと、像側の面が凸でメニスカス形状の負レンズＧ２４で構成されている。負レンズＧ２１の物体側のレンズ面は非球面形状である。負レンズＧ２１は物体側の面が凸形状であり、レンズの小型軽量化に有利な形状となっている。また、負レンズＧ２４は像側の面が凸形状であり、レンズの小型軽量化に有利である。また、本実施例では、負レンズＧ２２と正レンズＧ２３を接合しているが、第２群Ｕ２として適切な屈折力や色収差補正能力を有していれば、接合でなくとも分離していてもよい。これは本発明においてレンズ形状としての変形及び変更の想定内であり、以下全ての実施例においても同様である。
【００６２】
［実施例２］
図３の実施例２のズームレンズにおいて、第２群Ｕ２は数値実施例２において第１１面から第１７面に対応する。第２群Ｕ２はガラス材より成る４つのレンズで構成されている。第２群Ｕ２は、物体側から像側へ順に、物体側の面が凸でメニスカス形状の負レンズＧ２１と、両凹形状の負レンズＧ２２と、正レンズＧ２３と像側の面が凸でメニスカス形状の負レンズＧ２４を接合した接合レンズで構成されている。負レンズＧ２１の物体側の面は非球面形状である。負レンズＧ２１は物体側の面が凸形状であり、レンズの小型軽量化に有利な形状となっている。また、負レンズＧ２４は像側の面が凸形状であり、レンズの小型軽量化に有利な形状となっている。
【００６３】
［実施例３］
図５の実施例３のズームレンズにおいて、第２群Ｕ２は数値実施例３において第１１面から第１７面に対応する。第２群Ｕ２はガラス材より成る４つのレンズで構成されている。第２群Ｕ２は、物体側から像側へ順に、物体側の面が凸でメニスカス形状の負レンズＧ２１と、両凹形状の負レンズＧ２２と両凸形状の正レンズＧ２３とを接合した接合レンズ、像側の面が凸でメニスカス形状の負レンズＧ２４で構成されている。負レンズＧ２１の物体側の面は非球面形状である。負レンズＧ２１は物体側の面が凸形状であり、レンズの小型軽量化に有利な形状となっている。また、負レンズＧ２４は像側の面が凸形状であり、レンズの小型軽量化に有利な形状となっている。
【００６４】
［実施例４］
図７の実施例４のズームレンズにおいて、第２群Ｕ２は数値実施例４において第１１面から第１９面に対応する。第２群Ｕ２はガラス材より成る５つのレンズで構成されている。第２群Ｕ２は、物体側から像側へ順に、物体側の面が凸でメニスカス形状の負レンズＧ２１と、両凹形状の負レンズＧ２２と、両凹形状の負レンズＧ２３と両凸形状の正レンズＧ２４とを接合した接合レンズを有している。更に像側の面が凸でメニスカス形状の負レンズＧ２５で構成されている。負レンズＧ２１の物体側の面は非球面形状である。負レンズＧ２１は物体側の面が凸形状であり、レンズの小型軽量化に有利な形状となっている。負レンズＧ２５は像側の面が凸形状であり、レンズの小型軽量化に有利な形状となっている。
【００６５】
実施例４は実施例１〜３に比べて、第２群Ｕ２の物体側に負の屈折力を有するレンズを多く配置することで、第２群Ｕ２の主点の押し出しと収差補正の自由度の向上を図っている。また、物体側の２つの負レンズに屈折力を分散させてレンズ面の曲率を緩くすることで、レンズが増加したことに伴う第２群Ｕ２の光軸方向の厚みの増大を適切に抑制している。
【００６６】
［実施例５］
図９の実施例５のズームレンズにおいて、第２群Ｕ２は数値実施例５において第１１面から第１７面に対応する。第２群Ｕ２はガラス材より成る４つのレンズで構成されている。第２群Ｕ２は、物体側から像側へ順に、物体側の面が凸でメニスカス形状の負レンズＧ２１と、物体側の面が凹形状の負レンズＧ２２と、両凹形状の負レンズＧ２３と両凸形状の正レンズＧ２４とを接合した接合レンズで構成されている。負レンズＧ２１は物体側の面が凸形状であり、レンズの小型軽量化に有利な形状となっている。また、レンズＧ２４は像側の面が凸形状であり、レンズの小型軽量化に有利な形状となっている。
【００６７】
実施例５において第２群Ｕ２には非球面を使用していないが、第２群Ｕ２内の負の屈折力を有するレンズを物体側へ３つ連続して配置することで、第２群Ｕ２の主点の物体側への押し出しと、ズームレンズの小型軽量化、更に樽型の歪曲の発生を抑制している。一方、実施例５では、第２群Ｕ２の最も像側に正の屈折力を有する正レンズＧ２４が配置されている。一般的には、ズームレンズの高倍率化と小型軽量化を両立するために、第２群Ｕ２の像側にも負の屈折力を有するレンズを配置し、第２群Ｕ２の像側主点位置をより像側へ押し出すことが有効である。実施例５程度のズーム比では、第２群Ｕ２の像側主点位置の押し出しが比較的緩やかでも、所望の光学性能が得られる。
【００６８】
また負レンズＧ２３と正レンズＧ２４に強いパワーを与えて色収差の補正を担わせることで、良好な光学性能を達成している。このように、本実施例では第２群Ｕ２のレンズ構成を適切に設定している。
【００６９】
［実施例６］
図１１の実施例６のズームレンズにおいて、第２群Ｕ２は数値実施例６において第１１面から第１８面に対応する。第２群Ｕ２はガラス材より成る５つのレンズで構成されている。第２群Ｕ２は、物体側から像側へ順に、物体側の面が凸でメニスカス形状の負レンズＧ２１と、両凹形状の負レンズＧ２２と正レンズＧ２３とを接合した接合レンズと、両凸形状の正レンズＧ２４と負レンズＧ２５とを接合した接合レンズで構成されている。負レンズＧ２１は像側の面が凹形状であり、レンズの小型軽量化に有利な形状となっている。
【００７０】
実施例６において第２群Ｕ２には非球面を使用していないが、第２群Ｕ２内の負の屈折力を有するレンズを物体側へ連続して２つ配置することで、第２群Ｕ２の主点の物体側への押し出しと、ズームレンズの小型軽量化を達成している。更に樽型の歪曲の発生も適切に抑制している。
【００７１】
図１３は各実施例のズームレンズを撮影光学系として用いた撮像装置（テレビカメラシステム）の概略図である。図１３において１０１は実施例１〜６のいずれかのズームレンズである。２０１はカメラである。ズームレンズ１０１はカメラ２０１に対して着脱可能となっている。３０１はカメラ２０１にズームレンズ１０１を装着することで構成される撮像装置である。ズームレンズ１０１は第１群Ｆ、第２群Ｖ、第２群Ｖ以降のレンズ群ＣＲを有している。第１群Ｆは合焦用レンズ群が含まれている。第２群Ｖは変倍のために光軸上を移動する。
【００７２】
第２群以降のレンズ群ＣＲには、変倍に伴う像面変動を補正するために光軸上を移動するレンズ群や、結像用のレンズ群が含まれている。更に、レンズ群ＣＲには、ズームレンズ全系の焦点距離を変位させる、光路中より挿抜可能なレンズユニット（エクステンダー）を含んでもよい。ＳＰは開口絞りである。１０２〜１０４は各々第１群Ｆ、第２群Ｖ、変倍に伴う像面変動を補正するレンズ群を光軸方向に駆動するヘリコイドやカム等の駆動機構である。ここで、１０５〜１０８は駆動機構１０２〜１０４および開口絞りＳＰを電動駆動するモータ（駆動手段）である。
【００７３】
１０９〜１１２は、第１群Ｆや第２群Ｖ、変倍に伴う像面変動を補正するレンズ群の光軸上の位置や、開口絞りＳＰの絞り径等を検出するためのエンコーダやポテンショメータ、あるいはフォトセンサ等の検出器である。カメラ２０１において、２０２は光学フィルタや色分解光学系に相当するガラスブロック、２０３はズームレンズ１０１によって形成された被写体像を受光するＣＣＤセンサやＣＭＯＳセンサ等の固体撮像素子（光電変換素子）である。また、２０４、１１３はカメラ２０１及びズームレンズ１０１の各種の駆動を制御するＣＰＵである。
【００７４】
このように、本発明のズームレンズをテレビカメラに適用することにより、高い光学性能を有する撮像装置を実現している。ただし、本発明に関するズームレンズおよびカメラの構成は図１３の形態に限定されず、その要旨の範囲内で種々の変形及び変更が可能である。
【００７５】
以下に本発明の実施例１〜６に対応する数値実施例１〜６を示す。各数値実施例においていずれも、ｉは物体側からの面の順序を示す。ｒｉは物体側より第ｉ番目の面の曲率半径、ｄｉは物体側より第ｉ番目と第ｉ＋１番目の間隔、ｎｄｉ、νｄｉは第ｉ番目の光学部材の屈折率とアッベ数である。ＢＦは最終面（プリズムの出射面）からの距離である。最後の３つの面は、フィルタ等のガラスブロックである。非球面形状は光軸方向にＸ軸、光軸と垂直方向にＨ軸、光の進行方向を正とし、Ｒを近軸曲率半径、ｋを円錐常数、Ａ４、Ａ６、Ａ８、Ａ１０、Ａ１２、Ａ３、Ａ５、Ａ７、Ａ９、Ａ１１をそれぞれ非球面係数としたとき、次式で表している。また、「ｅ−Ｚ」は「×１０−Ｚ」を意味する。
【００７６】
【数１】
0005178798.tif 000002
【００７７】
また表１に各数値実施例における各条件式に対応した数値を示す。
＜数値実施例１＞
単位 mm
面データ
面番号       r        d      nd         νd       有効径
1       8321.692    4.00   1.83400    37.2      216.72
2        328.643    2.11                        208.62
3        325.233   29.04   1.43387    95.1      208.25
4       -678.870   24.86                        207.06
5        411.484   19.90   1.43387    95.1      197.32
6       -828.584    0.25                        197.16
7        231.217   21.18   1.43387    95.1      191.18
8       3063.853    1.00                        190.35
9        151.518   13.75   1.49700    81.5      174.35
10        248.208  (可変)                        172.92
11*      3032.376    2.00   2.00330    28.3       46.11
12         33.325   12.32                         38.86
13        -38.274    1.30   1.65412    39.7       38.45
14         67.706   10.52   1.92286    18.9       43.26
15        -67.037    0.82                         44.67
16        -59.406    1.40   1.81600    46.6       44.73
17       -150.846  (可変)                         46.64
18        113.851    8.91   1.60300    65.4       71.69
19*     -1908.208    0.20                         71.96
20        120.352    8.57   0.00000    67.0       72.80
21       -711.024    0.20                         72.50
22         66.079    2.50   1.84666    23.8       69.15
23         40.814   18.96   1.43875    94.9       63.54
24       -557.348    0.20                         62.66
25        346.891    5.34   1.60300    65.4       61.45
26*      1016.391  (可変)                         59.61
27          ∞       2.79                         29.15
28        -74.821    1.40   1.88300    40.8       28.37
29         21.138    8.83   1.80809    22.8       27.65
30       -143.956    3.36                         27.57
31        127.134    2.00   1.88300    40.8       33.20
32         75.273    9.06                         33.30
33        -24.852    2.00   1.64769    33.8       25.72
34         38.269   10.52   1.62041    60.3       29.21
35        -27.335    0.20                         30.51
36        663.559   13.24   1.62041    60.3       30.02
37         78.625    6.62                         28.92
38        382.567    7.51   1.54072    47.2       29.52
39        -39.376    1.20                         29.71
40       -689.728    2.50   1.83400    37.2       28.12
41         34.583    7.55   1.51823    58.9       27.07
42       -167.592    1.80                         26.81
43       -329.999    7.82   1.53172    48.8       26.45
44        -24.107    2.50   1.88300    40.8       26.08
45        -69.426    1.20                         26.91
46         45.051    7.88   1.51823    58.9       26.76
47        -70.992   10.00                         25.68
48          ∞      33.00   1.60859    46.4       60.00
49          ∞      13.20   1.51633    64.2       60.00
50          ∞       4.99                         60.00
像面        ∞   
【００７８】
非球面データ
第11面
K =-1.60352e+005  A 4= 1.56351e-006  A 6= 5.71739e-010
A 8=-1.05160e-012  A10=-1.42809e-015  A12= 4.74653e-018
A 3= 1.02711e-006  A 5=-3.22745e-008  A 7=-3.98465e-011
A 9= 1.91483e-013  A11=-2.43288e-016
第19面
K = 2.14909e+003  A 4=-1.65390e-007  A 6= 1.89362e-010
A 8= 3.73102e-013  A10=-9.03488e-017  A12=-3.26994e-020
A 3=-1.02630e-006  A 5= 4.50600e-010  A 7=-1.06309e-011
A 9=-3.12794e-015  A11= 3.12228e-018
第26面
K = 1.03243e+003  A 4= 4.07277e-007  A 6=-4.92139e-010
A 8= 1.20206e-012  A10= 9.05775e-016  A12=-2.41966e-019
A 3= 2.81599e-006  A 5= 2.67896e-008  A 7=-4.90132e-011
A 9=-5.42864e-015  A11=-2.39409e-017
各種データ
ズーム比     85.00 
広角     中間     望遠
焦点距離       8.30    76.52   705.50  
Fナンバー      1.8 1.8 3.7 
画角          67.2° 8.22° 0.894°
像高           5.50     5.50     5.50  
レンズ全長   611.20   611.20   611.20  
BF             4.99     4.99     4.99  
d10            2.57   134.35   170.95  
d17          255.11    97.35     1.22  
d26            3.00    28.98    88.52 
入射瞳位置   125.55   878.56   8993.99  
射出瞳位置   158.81   158.81   158.81  
前側主点位置 134.30   993.15   12935.37  
後側主点位置  -3.31   -71.53  -700.51  
ズームレンズ群データ
群  始面    焦点距離  レンズ構成長  前側主点位置  後側主点位置
1    1     229.60       116.09        67.05        -17.62
2   11     -26.00        28.36         2.30        -18.94
3   18      65.00        44.88         6.84        -23.37
4   27      38.46       156.19        53.87          3.13
単レンズデータ
レンズ  始面  焦点距離
1       1   -407.75
2       3    510.01
3       5    635.20
4       7    573.67
5       9    745.07
6      11    -33.32
7      13    -36.98
8      14     37.47
9      16   -120.32
10      18    177.83
11      20    173.91
12      22   -130.81
13      23     87.30
14      25    867.56
15      28    -18.43
16      29     23.13
17      31   -211.60
18      33    -22.82
19      34     27.28
20      36   -144.45
21      38     66.11
22      40    -39.17
23      41     55.81
24      43     48.24
25      44    -42.69
26      46     54.23
27      48      0.00
28      49      0.00
【００７９】
＜数値実施例２＞
単位 mm
面データ
面番号       r        d      nd         νd       有効径
1       8725.458    4.00   1.83400    37.2      211.72
2        353.432    2.86                        204.85
3        366.055   27.68   1.43387    95.1      204.50
4       -539.116   26.28                        203.53
5        335.764   15.93   1.43387    95.1      189.61
6       30774.172    0.25                        188.36
7        260.856   18.86   1.43387    95.1      183.21
8       16385.100    1.20                        182.32
9        181.589   13.05   1.49700    81.5      170.85
10        333.937  (可変)                        169.07
11*      3638.747    2.18   2.00330    28.3       46.55
12         43.470    9.65                         40.52
13        -56.118    1.40   1.88300    40.8       39.85
14         93.948    2.36                         40.11
15        107.577    9.10   1.92286    18.9       41.16
16        -52.855    1.60   1.83400    37.2       41.30
17       -588.852  (可変)                         42.19
18        132.851   11.77   0.00000    67.0       73.05
19*      -152.866    0.50                         73.36
20         92.753    7.39   1.49700    81.5       72.59
21        233.923    0.20                         71.72
22         84.980    2.50   1.84666    23.8       70.10
23         48.795   16.75   1.43875    94.9       65.66
24       -668.529    0.20                         64.76
25        346.891    5.60   0.00000    67.0       63.67
26*     -1134.938  (可変)                         62.29
27(絞り)    ∞       2.79                         30.71
28       -104.880    1.40   1.88300    40.8       29.74
29         20.531    9.83   1.80809    22.8       28.53
30       -207.877    1.36                         28.24
31        141.254    2.25   1.88300    40.8       27.58
32         65.464    9.06                         26.90
33        -25.736    2.00   1.64769    33.8       26.65
34         35.060   10.52   1.62041    60.3       30.54
35        -35.887    0.20                         32.01
36       -121.168   14.26   1.62041    60.3       32.39
37        -65.117    6.62                         34.79
38        222.077    7.51   1.54072    47.2       34.38
39        -48.394    2.00                         34.08
40       -169.610    2.50   1.83400    37.2       31.51
41         35.270    7.53   1.51823    58.9       30.06
42        -84.008    2.20                         29.85
43       -146.346    7.79   1.53172    48.8       28.99
44        -35.008    2.50   1.88300    40.8       28.29
45        -58.746    1.70                         28.53
46         60.574    7.89   1.51823    58.9       26.86
47        581.417   10.00                         24.41
48          ∞      33.00   1.60859    46.4       60.00
49          ∞      13.20   1.51633    64.2       60.00
50          ∞       5.00                         60.00
像面        ∞   
【００８０】
非球面データ
第11面
K =-1.60352e+005  A 4= 9.47690e-007  A 6= 1.42674e-009
A 8= 1.94869e-012  A10= 5.73849e-015  A12= 4.28213e-018
A 3= 7.37680e-008  A 5=-1.88560e-008  A 7=-1.24372e-010
A 9= 5.11701e-014  A11=-3.52020e-016
第19面
K =-1.20252e+001  A 4=-2.48078e-007  A 6= 1.47916e-010
A 8= 1.36508e-013  A10= 4.10905e-019  A12=-1.73629e-020
A 3=-7.22996e-007  A 5=-3.29384e-009  A 7=-4.56618e-012
A 9=-1.14056e-015  A11= 5.95557e-019
第26面
K = 1.03243e+003  A 4= 2.20550e-007  A 6=-8.70354e-011
A 8= 7.49736e-013  A10=-2.57232e-016  A12= 7.26233e-021
A 3= 7.68010e-007  A 5= 8.68126e-009  A 7=-7.33380e-012
A 9=-2.02833e-014  A11= 1.22287e-017
各種データ
ズーム比     92.00 
広角     中間     望遠
焦点距離       8.50    81.53   782.00  
Fナンバー      1.85 1.85 4.3 
画角          65.8° 7.72° 0.806°
像高           5.50     5.50     5.50  
レンズ全長   623.58   623.58   623.58  
BF             5.00     5.00     5.00  
d10            2.46   147.52   187.24  
d17          273.70   102.61     2.01  
d26            3.00    29.03    89.91 
入射瞳位置   123.29   926.41   9069.85  
射出瞳位置   367.56   367.56   367.56  
前側主点位置 131.99   1026.27   11538.55  
後側主点位置  -3.50   -76.53  -777.00  
ズームレンズ群データ
群  始面    焦点距離  レンズ構成長  前側主点位置  後側主点位置
1    1     247.00       110.11        65.62        -16.22
2   11     -27.00        26.28         3.07        -16.56
3   18      66.00        44.92         8.47        -22.48
4   27      49.60       158.12        57.48          5.42
単レンズデータ
レンズ  始面  焦点距離
1       1   -438.96
2       3    505.93
3       5    780.33
4       7    609.21
5       9    776.41
6      11    -43.50
7      13    -39.38
8      15     39.00
9      16    -69.28
10      18    121.50
11      20    303.06
12      22   -138.43
13      23    104.13
14      25    447.82
15      28    -19.23
16      29     23.34
17      31   -139.32
18      33    -22.46
19      34     30.19
20      36    205.89
21      38     73.84
22      40    -34.60
23      41     48.80
24      43     84.07
25      44   -102.63
26      46    129.29
27      48      0.00
28      49      0.00
【００８１】
＜数値実施例３＞
単位 mm
面データ
面番号       r        d      nd         νd       有効径
1       13269.513    4.00   1.83400    37.2      231.08
2        312.770    2.95                        220.50
3        322.226   32.42   1.43387    95.1      220.12
4       -670.694   17.41                        218.77
5        361.874   22.28   1.43387    95.1      212.81
6      -1698.628    0.25                        212.52
7        272.342   23.90   1.43387    95.1      207.84
8      -13227.433    1.20                        206.75
9        157.070   21.63   1.49700    81.5      188.22
10        360.770  (可変)                        186.09
11*      3198.004    2.00   2.00330    28.3       47.06
12         35.862   12.13                         39.69
13        -42.162    1.40   1.88300    40.8       38.81
14         75.915   10.85   1.92286    18.9       40.53
15        -44.303    0.53                         41.06
16        -46.805    1.50   1.90366    31.3       40.30
17       -144.079  (可変)                         40.85
18        129.486    8.80   0.00000    67.0       67.23
19       -314.886    0.20                         67.55
20        153.503    8.90   0.00000    67.0       67.97
21*      -338.493    0.50                         67.52
22         77.899    2.50   1.84666    23.8       64.98
23         46.507   14.44   1.43875    94.9       61.11
24       -951.118    0.20                         60.43
25        346.891    4.67   0.00000    67.0       59.61
26*      1062.112  (可変)                         58.36
27(絞り)    ∞       2.79                         29.94
28        -94.024    1.40   1.88300    40.8       29.09
29         37.981    7.83   1.80809    22.8       28.51
30        -99.611    2.36                         28.18
31        -54.344    4.50   1.80809    22.8       27.55
32        -32.302    2.50   1.88300    40.8       27.64
33        197.278    9.06                         28.02
34       -322.352    2.00   1.72047    34.7       30.04
35         34.112   11.52   1.51633    64.1       31.15
36        -40.263    0.20                         32.71
37        970.953   16.24   1.62041    60.3       33.10
38       -440.440    6.62                         33.89
39       -239.302    8.79   1.54072    47.2       34.10
40        -42.544    1.00                         34.51
41        156.508    2.50   1.88300    40.8       32.34
42         56.732   10.63   1.51633    64.1       31.16
43        -39.517    2.00                         29.82
44        -39.054    6.69   1.51633    64.1       27.53
45        -31.866    2.50   1.83400    37.2       26.09
46       -811.084    1.20                         26.41
47         55.470    5.88   1.51633    64.1       26.66
48        -86.380   10.00                         26.29
49          ∞      33.00   1.60859    46.4       60.00
50          ∞      13.20   1.51633    64.2       60.00
51          ∞       5.00                         60.00
像面        ∞   
【００８２】
非球面データ
第11面
K =-1.60352e+005  A 4= 1.63123e-006  A 6= 3.75247e-009
A 8= 7.82902e-014  A10= 8.01718e-015  A12= 4.14621e-018
A 3=-5.15033e-008  A 5=-6.44453e-008  A 7=-1.54514e-010
A 9= 1.30553e-013  A11=-5.11959e-016
第21面
K =-3.11239e+001  A 4=-1.33224e-007  A 6= 1.28278e-011
A 8= 8.89465e-014  A10= 3.21863e-018  A12=-9.19335e-021
A 3= 3.68109e-006  A 5= 2.81653e-009  A 7=-3.19404e-012
A 9= 2.51253e-015  A11=-1.41162e-018
第26面
K = 1.03243e+003  A 4= 1.65574e-008  A 6=-4.20403e-010
A 8= 7.43445e-013  A10=-2.60827e-016  A12=-2.17014e-019
A 3=-4.03501e-006  A 5= 1.61400e-008  A 7=-1.53015e-011
A 9=-1.86081e-014  A11= 1.82843e-017
各種データ
ズーム比    100.00 
広角     中間     望遠
焦点距離       8.00    80.00   800.00  
Fナンバー      1.9 1.91 3.94 
画角           69° 7.86° 0.788°
像高           5.50     5.50     5.50  
レンズ全長   624.43   624.43   624.43  
BF             5.00     5.00     5.00  
d10            2.10   130.25   163.41  
d17          255.28    99.31     2.09  
d26            3.00    30.81    94.88 
入射瞳位置   129.69   935.31   9841.60  
射出瞳位置   385.17   385.17   385.17  
前側主点位置 137.86   1032.15   12325.06  
後側主点位置  -3.00   -75.00  -795.00  
ズームレンズ群データ
群  始面    焦点距離  レンズ構成長  前側主点位置  後側主点位置
1    1     221.76       126.03        67.93        -20.80
2   11     -24.00        28.42         3.11        -17.79
3   18      66.00        40.21         6.62        -20.26
4   27      50.20       164.40        57.78          2.13
単レンズデータ
レンズ  始面  焦点距離
1       1   -381.70
2       3    505.41
3       5    688.11
4       7    613.83
5       9    539.05
6      11    -35.86
7      13    -30.35
8      14     31.31
9      16    -76.71
10      18    155.59
11      20    178.96
12      22   -140.11
13      23    101.25
14      25    864.95
15      28    -30.31
16      29     34.56
17      31     89.35
18      32    -31.09
19      34    -42.43
20      35     37.62
21      37    488.61
22      39     93.74
23      41   -101.39
24      42     46.70
25      44    253.57
26      45    -39.58
27      47     66.11
28      49      0.00
29      50      0.00
【００８３】
＜数値実施例４＞
単位 mm
面データ
面番号       r        d      nd         νd       有効径
1      -3048.814    4.00   1.83400    37.2      212.47
2        366.415    2.11                        205.34
3        360.989   28.83   1.43387    95.1      205.02
4       -533.108   19.51                        203.96
5        468.789   17.87   1.43387    95.1      193.08
6       -878.590    0.20                        192.95
7        249.934   18.61   1.43387    95.1      188.74
8       1883.171    0.95                        187.85
9        163.796   17.43   1.49700    81.5      176.12
10        367.373  (可変)                        174.48
11*      2201.734    1.50   2.00330    28.3       41.76
12         56.234    4.88                         37.63
13       -156.786    1.50   2.00330    28.3       37.00
14         65.625    5.92                         35.14
15        -51.959    1.50   1.88300    40.8       35.04
16         58.657    9.22   1.92286    18.9       39.13
17        -53.488    1.86                         40.33
18        -41.772    1.50   1.83400    37.2       40.59
19        -55.483  (可変)                         42.48
20        115.329   12.25   0.00000    67.0       78.98
21       -353.830    0.20                         79.31
22        111.843   12.87   1.49700    81.5       79.71
23*      -250.239    0.20                         79.00
24         80.402    2.50   1.84666    23.8       74.08
25         46.915   16.23   1.43875    94.9       68.35
26        374.805    2.00                         67.29
27        359.126    4.80   0.00000    67.0       66.41
28*     -1118.305  (可変)                         65.38
29(絞り)    ∞       2.92                         29.92
30        -94.519    1.40   1.88300    40.8       28.87
31         42.018    4.54   1.80809    22.8       28.28
32       -436.305    3.17                         28.00
33        -72.809    1.40   1.77250    49.6       27.36
34         38.255    5.50   1.80518    25.4       27.44
35        404.110    5.88                         27.43
36        -42.718    2.00   1.83400    37.2       27.62
37         66.588   10.24   1.48749    70.2       29.62
38        -29.140    1.75                         31.73
39         52.488   15.82   1.59551    39.2       33.67
40       -545.293    5.98                         32.07
41        -81.877    6.62   1.56883    56.4       30.95
42        -46.592    0.96                         30.91
43        186.636    2.10   1.83400    37.2       29.08
44         27.599    9.76   1.51823    58.9       27.47
45       -208.745    0.38                         26.67
46        334.796    7.68   1.51633    64.1       26.36
47        -28.017    2.05   1.88300    40.8       25.42
48       -120.763    2.31                         25.57
49        120.993    5.53   1.51823    58.9       25.10
50        -48.240   10.00                         24.59
51          ∞      33.00   1.60859    46.4       60.00
52          ∞      13.20   1.51633    64.2       60.00
53          ∞       4.90                         60.00
像面        ∞   
非球面データ
第11面
K = 6.97499e+003  A 4= 9.18463e-007  A 6= 4.11463e-009
A 8=-1.58605e-012  A10= 6.21612e-015  A12= 4.30037e-018
A 3=-4.92829e-007  A 5=-2.46518e-008  A 7=-2.33050e-010
A 9= 3.39551e-013  A11=-5.84422e-016
第23面
K =-8.54920e+001  A 4=-5.64531e-007  A 6=-1.00051e-012
A 8= 1.14452e-014  A10=-8.02194e-018  A12=-1.35982e-021
A 3= 6.43558e-007  A 5= 1.36927e-008  A 7= 8.65348e-013
A 9=-1.46107e-015  A11= 4.42882e-019
第28面
K = 1.03243e+003  A 4= 3.80625e-007  A 6=-7.45229e-010
A 8= 9.68593e-013  A10=-3.01004e-016  A12= 1.27214e-019
A 3=-8.30207e-007  A 5= 1.10122e-008  A 7=-7.47187e-013
A 9=-1.56677e-014  A11= 4.48283e-018
各種データ
ズーム比    108.00 
広角     中間     望遠
焦点距離       8.00    83.14   864.00  
Fナンバー      1.9 1.9 4.65 
画角           69° 7.56° 0.73°
像高           5.50     5.50     5.50  
レンズ全長   622.12   622.12   622.12  
BF             4.90     4.90     4.90  
d10            2.41   143.91   178.89  
d19          270.17   102.56     2.34  
d28            2.00    28.12    93.35 
入射瞳位置   114.90   963.81   10725.87  
射出瞳位置   446.18   446.18   446.18  
前側主点位置 123.04   1062.61   13281.54  
後側主点位置  -3.10   -78.24  -859.10  
ズームレンズ群データ
群  始面    焦点距離  レンズ構成長  前側主点位置  後側主点位置
1    1     231.69       109.50        62.91        -15.29
2   11     -24.00        27.89         2.30        -19.75
3   20      66.00        51.05         8.80        -26.68
4   29      50.50       154.20        57.08          8.08
単レンズデータ
レンズ  始面  焦点距離
1       1   -389.51
2       3    499.74
3       5    705.62
4       7    660.27
5       9    576.58
6      11    -57.06
7      13    -45.57
8      15    -30.83
9      16     31.18
10      18   -211.98
11      20    147.84
12      22    156.93
13      24   -136.44
14      25    120.11
15      27    458.09
16      30    -32.59
17      31     47.15
18      33    -32.13
19      34     51.65
20      36    -30.75
21      37     42.95
22      39     80.72
23      41    177.18
24      43    -38.82
25      44     47.52
26      46     50.25
27      47    -41.51
28      49     67.03
29      51      0.00
30      52      0.00
【００８４】
＜数値実施例５＞
単位 mm
面データ
面番号       r        d      nd         νd       有効径
1        448.419    4.00   1.80100    35.0      197.52
2        212.684    0.85                        188.74
3        211.447   24.52   1.43387    95.1      188.49
4       6849.858   18.32                        187.10
5        257.592   21.59   1.43387    95.1      176.92
6      -2037.002    0.25                        174.33
7        248.784   15.76   1.43875    94.9      165.40
8       3052.907    0.99                        164.20
9        145.384   10.81   1.45600    90.3      151.00
10        219.063  (可変)                        148.83
11       3865.185    2.00   2.00330    28.3       45.05
12         41.625    8.74                         39.05
13        -65.788    1.90   1.83400    37.2       38.32
14        305.044    4.78                         37.95
15        -55.103    1.90   1.76200    40.1       37.93
16         81.848    7.67   1.92286    18.9       40.27
17        -76.288  (可変)                         40.81
18        324.833    7.08   1.59240    68.3       57.06
19       -127.525    0.20                         57.61
20*       138.031    6.82   1.49700    81.5       58.07
21       -340.503    0.20                         57.83
22         68.786    2.50   1.80515    25.5       56.13
23         42.833   12.66   1.49700    81.5       53.15
24        807.348  (可変)                         51.92
25(絞り)    ∞       3.08                         29.53
26        -71.873    1.80   1.81600    46.6       28.78
27         65.233    5.93   1.80809    22.8       28.50
28       -348.521    9.47                         28.27
29       -123.362    3.60   1.81600    46.6       26.73
30         38.290   14.61   1.78472    25.7       26.77
31        114.237   15.00                         26.99
32       5487.241    9.10   1.48749    70.2       30.15
33        -47.510    0.53                         31.10
34       -391.597    2.10   1.80518    25.4       30.76
35         82.401    8.93   1.48749    70.2       30.64
36        -51.883    0.20                         30.88
37       -801.568    8.23   1.51823    58.9       30.29
38        -41.352    2.10   1.83400    37.2       29.46
39        -91.402    1.23                         29.51
40         58.749    7.61   1.51633    64.1       28.44
41       -685.478    5.00                         26.51
42          ∞      33.00   1.60859    46.4       60.00
43          ∞      13.20   1.51633    64.2       60.00
44          ∞      15.00                         60.00
像面        ∞   
【００８５】
非球面データ
第20面
K =-9.57673e-001  A 4= 3.52225e-008  A 6=-2.48997e-011
A 8= 3.23822e-014  A10=-7.51296e-018  A12= 1.56309e-021  
各種データ
ズーム比     65.00 
焦点距離       8.80    24.99    70.95   201.45   572.00    12.62  
Fナンバー      1.90     1.90     1.90     1.95     3.30     1.90  
画角          64.02° 24.82° 8.86° 3.12° 1.1° 47° 
像高           5.50     5.50     5.50     5.50     5.50     5.50  
レンズ全長   555.12   555.12   555.12   555.12   555.12   555.12  
BF            15.00    15.00    15.00    15.00    15.00    15.00  
d10            3.39    76.44   117.39   139.65   151.40    33.39  
d17          234.91   151.46    95.30    50.78     5.50   201.76  
d24            3.54    13.95    29.15    51.42    84.95     6.69 
入射瞳位置   121.85   356.73   795.70   1763.65   5772.74   187.44  
射出瞳位置   243.30   243.30   243.30   243.30   243.30   243.30  
前側主点位置 130.99   384.45   888.70   2142.86   7777.90   200.76  
後側主点位置   6.20    -9.99   -55.95  -186.45  -557.00     2.38  
ズームレンズ群データ
群  始面    焦点距離  レンズ構成長  前側主点位置  後側主点位置
1    1     219.22        97.11        46.96        -26.36
2   11     -26.00        26.99         2.25        -19.81
3   18      65.00        29.47         4.69        -14.47
4   25      46.65       144.71        58.21          8.47
単レンズデータ
レンズ  始面  焦点距離
1       1   -505.52
2       3    501.05
3       5    527.24
4       7    614.73
5       9    903.82
6      11    -41.60
7      13    -64.33
8      15    -42.71
9      16     43.28
10      18    154.95
11      20    197.98
12      22   -146.02
13      23     90.25
14      26    -41.45
15      27     67.74
16      29    -35.27
17      30     67.03
18      32     96.35
19      34    -83.61
20      35     66.54
21      37     83.49
22      38    -91.73
23      40    104.78
24      42      0.00
25      43      0.00
【００８６】
＜数値実施例６＞
単位 mm
面データ
面番号       r        d      nd         νd       有効径
1        563.041    4.00   1.83400    37.2      209.29
2        214.634    0.43                        199.03
3        210.123   26.91   1.43387    95.1      198.90
4       4352.387   21.78                        197.68
5        412.773   15.85   1.43387    95.1      193.36
6      -2501.429    0.50                        193.18
7        319.038   22.93   1.43875    94.9      190.87
8       -782.090    0.77                        190.15
9        135.854   16.34   1.49700    81.5      170.55
10        232.566  (可変)                        168.76
11       1256.346    2.00   1.90366    31.3       47.63
12         35.337   10.64                         40.08
13        -60.690    1.50   1.88300    40.8       39.42
14         47.323    6.51   1.80809    22.8       39.75
15        486.018    0.10                         39.94
16         85.691    7.50   1.80809    22.8       40.36
17        -67.397    1.50   1.88300    40.8       40.14
18        412.528  (可変)                         39.75
19        324.833    7.72   1.59240    68.3       61.41
20       -125.693    0.20                         61.99
21*       163.515    7.33   1.49700    81.5       62.61
22       -628.204    0.20                         62.36
23         80.348    2.50   1.80515    25.5       61.25
24         46.198   12.76   1.49700    81.5       58.21
25       6677.954    1.00                         57.64
26        257.775    4.79   1.61800    63.3       56.79
27      -1002.846  (可変)                         55.96
28(絞り)    ∞       3.08                         31.34
29        -68.398    1.80   1.81600    46.6       30.61
30         40.558    5.93   1.80809    22.8       30.16
31          ∞       9.47                         29.95
32       -232.917    3.60   1.81600    46.6       28.82
33         82.935   14.61   1.78472    25.7       28.76
34         97.270   15.00                         28.65
35        171.862    9.06   1.48749    70.2       31.98
36        -50.479    0.53                         32.48
37       -307.032    2.50   1.83403    37.2       31.91
38         60.597    8.93   1.49700    81.5       31.60
39        -71.414    0.20                         31.83
40        293.937    7.92   1.49700    81.5       31.44
41        -50.753    2.50   1.88300    40.8       30.71
42        -79.184    1.23                         30.78
43         80.900    7.61   1.48749    70.2       29.45
44       -325.733    5.00                         27.42
45          ∞      33.00   1.60859    46.4       60.00
46          ∞      13.20   1.51633    64.2       60.00
47          ∞      15.0                          60.00
像面        ∞   
【００８７】
非球面データ
第21面
K = 9.30831e-001  A 4=-8.10486e-008  A 6= 2.59343e-010
A 8=-6.02207e-013  A10= 5.84188e-016  A12=-1.94896e-019
各種データ
ズーム比     76.00 
焦点距離       8.70    21.42    75.84   249.00   661.20  
Fナンバー      1.85     1.85     1.85     1.97     3.45  
画角          64.6° 28.8° 8.3° 2.54° 0.96°
像高           5.50     5.50     5.50     5.50     5.50  
レンズ全長   586.62   586.62   586.62   586.62   586.62  
BF            15.00    15.00    15.00    15.00    15.00  
d10            3.28    73.28   128.04   153.28   163.92  
d18          244.90   166.97    95.58    45.84     4.48  
d27            2.50    10.42    27.06    51.56    82.27 
入射瞳位置   128.17   323.96   854.34   2124.23   6673.31  
射出瞳位置   313.81   313.81   313.81   313.81   313.81  
前側主点位置 137.12   346.92   949.44   2580.72   8797.60  
後側主点位置   6.30    -6.42   -60.84  -234.00  -646.20  
ズームレンズ群データ
群  始面    焦点距離  レンズ構成長  前側主点位置  後側主点位置
1    1     229.26       109.51        58.42        -22.71
2   11     -25.50        29.75         4.01        -16.23
3   19      63.00        36.50         8.28        -16.44
4   28      49.47       145.16        59.22         13.38
単レンズデータ
レンズ  始面  焦点距離
1       1   -415.44
2       3    506.59
3       5    815.92
4       7    518.47
5       9    620.53
6      11    -39.97
7      13    -29.74
8      14     63.79
9      16     47.25
10      17    -65.13
11      19    153.43
12      21    261.10
13      23   -138.30
14      24     93.27
15      26    331.06
16      29    -30.81
17      30     49.69
18      32    -74.19
19      33    489.95
20      35     80.85
21      37    -60.11
22      38     67.28
23      40     87.50
24      41   -166.02
25      43    133.31
26      45      0.00
27      46      0.00
【００８８】
【表１】
0005178798.tif 000003
【符号の説明】
【００８９】
Ｕ１  第１群    Ｕ２  第２群    Ｕ３  第３群    Ｕ４  第４群    ＳＰ  絞り
【図１】
0005178798.tif 000004
【図２】
0005178798.tif 000005
【図３】
0005178798.tif 000006
【図４】
0005178798.tif 000007
【図５】
0005178798.tif 000008
【図６】
0005178798.tif 000009
【図７】
0005178798.tif 000010
【図８】
0005178798.tif 000011
【図９】
0005178798.tif 000012
【図１０】
0005178798.tif 000013
【図１１】
0005178798.tif 000014
【図１２】
0005178798.tif 000015
【図１３】
0005178798.tif 000016
【図１４】
0005178798.tif 000017